(57)【要約】【課題】ワイヤハーネスをカバー部材に固定する際の信頼性を向上させる。【解決手段】ワイヤハーネス固定装置は、ワイヤハーネスを覆うカバー部材３０と、カバー部材３０とワイヤハーネスのそれぞれの外周に周方向に沿って配置され、締め付け位置へと縮径されることにより、ワイヤハーネスをカバー部材３０に締め付けて固定するバンド部材６０とを備える。カバー部材３０の外周のうち、バンド部材６０が配置される部位には、締め付け位置へ向かうバンド部材６０と干渉して節度感を発生させる節度感発生部４３が設けられている。【選択図】図２
2018081868.tif 000002
【特許請求の範囲】
【請求項１】
ワイヤハーネスを覆うカバー部材と、
前記カバー部材と前記ワイヤハーネスのそれぞれの外周に周方向に沿って配置され、締め付け位置へと縮径されることにより、前記ワイヤハーネスを前記カバー部材に締め付けて固定するバンド部材とを備え、
前記カバー部材の外周のうち、前記バンド部材が配置される部位には、前記締め付け位置へ至る前記バンド部材と干渉して節度感を発生させる節度感発生部が設けられていることを特徴とするワイヤハーネス固定装置。
【請求項２】
前記節度感発生部と前記バンド部材の少なくとも一方は、前記バンド部材が前記締め付け位置へ至る際に、他方と干渉して弾性的に変形及び復元する弾性を有している請求項１項記載のワイヤハーネス固定装置。
【請求項３】
前記バンド部材のうち、前記節度感発生部と干渉する被干渉部は、締め付け前の状態では前記節度感発生部の外側に配置され、前記締め付け位置では前記節度感発生部の内側に配置される請求項１又は２記載のワイヤハーネス固定装置。
【請求項４】
前記カバー部材の外周のうち、前記バンド部材が配置される部位には、前記節度感発生部と隣接する位置に、前記バンド部材を前記節度感発生部との干渉位置へと誘導するガイド部が設けらている請求項１ないし３のいずれか１項記載のワイヤハーネス固定装置。
【請求項５】
前記カバー部材の外周のうち、前記バンド部材が配置される部位は、略Ｌ字形状の角部を有し、前記ガイド部が前記角部に設けられている請求項４記載のワイヤハーネス固定装置。
【発明の詳細な説明】
【技術分野】
【０００１】
本発明は、ワイヤハーネス固定装置に関する。
【背景技術】
【０００２】
特許文献１には、電線（ワイヤハーネス）を覆う電線カバー（カバー部材）と、カバー部材とワイヤハーネスのそれぞれの外周に周方向に沿って配置される結束バンド（バンド部材）とを備えたワイヤハーネス固定装置としてのコネクタが開示されている。バンド部材は、カバー部材とワイヤハーネスとにわたって巻回され、締め付け位置へ向けて縮径されることで、ワイヤハーネスをカバー部材に締め付けて固定する。
【先行技術文献】
【特許文献】
【０００３】
【特許文献１】特開２００２−３４３４９７号公報
【発明の概要】
【発明が解決しようとする課題】
【０００４】
ところで、バンド部が締め付け位置へ至る手前で締め付け操作を終えてしまうと、ワイヤハーネスがカバー部材に十分な締め付け力で固定されず、締め付けの信頼性を確保することができないという問題がある。
【０００５】
本発明は上記のような事情に基づいて完成されたものであって、ワイヤハーネスをカバー部材に固定する際の信頼性を向上させることを目的とする。
【課題を解決するための手段】
【０００６】
本発明のワイヤハーネス固定装置は、ワイヤハーネスを覆うカバー部材と、前記カバー部材と前記ワイヤハーネスのそれぞれの外周に周方向に沿って配置され、締め付け位置へと縮径されることにより、前記ワイヤハーネスを前記カバー部材に締め付けて固定するバンド部材とを備え、前記カバー部材の外周のうち、前記バンド部材が配置される部位には、前記締め付け位置へ至る前記バンド部材と干渉して節度感を発生させる節度感発生部が設けられているところに特徴を有する。
【発明の効果】
【０００７】
バンド部材が締め付け位置に至る際に節度感発生部と干渉することにより、節度感を得ることができるため、締め付け位置に至る手前で締め付け動作を終えてしまう事態を回避することができる。その結果、バンド部材が締め付け位置に確実に至ることができ、ワイヤハーネスをカバー部材に固定する際の信頼性を向上させることができる。
【図面の簡単な説明】
【０００８】
【図１】本発明の実施例１において、バンド部材がカバー部材の外周に沿って配置されて締め付け位置に至る前の状態を示す側面図である。
【図２】バンド部材が締め付け位置に至った状態を示す側面図である。
【図３】図１のＸ−Ｘ線断面図である。
【図４】図２のＹ−Ｙ線断面図である。
【図５】バンド部材が締め付け位置に至った状態を示す平面図である。
【図６】カバー部材の斜視図である。
【図７】カバー部材の側面図である。
【図８】カバー部材の平面図である。
【図９】バンド部材が締め付け位置へ至る際に節度感発生部が弾性的に変形、復元する第１態様を示す模式図である。
【図１０】バンド部材が締め付け位置へ至る際にバンド部材が弾性的に変形、復元する第２態様を示す模式図である。
【図１１】実施例２において、バンド部材がプロテクタの外周に沿って配置され、締め付け位置に至った状態を示す側面図である。
【図１２】図１１の状態の平面図である。
【発明を実施するための形態】
【０００９】
本発明の好ましい実施形態を以下に示す。
前記節度感発生部と前記バンド部材の少なくとも一方は、前記バンド部材が前記締め付け位置へ至る際に、他方と干渉して弾性的に変形及び復元する弾性を有しているとよい。これによれば、比較的簡単な構造で節度感を発生させることができる。
【００１０】
前記バンド部材のうち、前記節度感発生部と干渉する被干渉部は、締め付け前の状態では前記節度感発生部の外側に配置され、前記締め付け位置では前記節度感発生部の内側に配置されるとよい。これによれば、バンド部材が締め付け位置に至ったことを視覚的にも検知することができる。
【００１１】
前記カバー部材の外周のうち、前記バンド部材が配置される部位には、前記節度感発生部と隣接する位置に、前記バンド部材を前記節度感発生部との干渉位置へと誘導するガイド部が設けられているとよい。これによれば、バンド部材がガイド部に誘導されて節度感発生部との干渉位置へと自動的に至ることができ、特別な作業を行う必要がない。
【００１２】
前記カバー部材の外周のうち、前記バンド部材が配置される部位は、略Ｌ字形状の角部を有し、前記ガイド部が前記角部に設けられているとよい。角部においてはバンド部材が締め付け前の状態から締め付け位置へ向けて大きく縮径変形することができるため、角部にガイド部が設けられることにより、バンド部材を節度感発生部との干渉位置へと確実に至らすことができる。
【００１３】
＜実施例１＞
以下、実施例１を図１〜図１０に基づいて説明する。実施例１のワイヤハーネス固定装置は、図示しない相手コネクタと嵌合可能なコネクタ１０を例示するものであって、コネクタハウジング２０と、カバー部材３０と、バンド部材６０と、ワイヤハーネスとしての複数本の電線８０とを備えている。なお、以下の説明において、前後方向については、嵌合開始時に相手コネクタと対向する面側を前側とする。また、上下方向は、図１、図２及び図７を基準とする。
【００１４】
コネクタハウジング２０は合成樹脂製であって、略角ブロック状のハウジング本体２１を有している。ハウジング本体２１には、複数の図示しない端子金具が挿入される。端子金具は、電線８０の端部に接続される。電線８０は、ハウジング本体２１の後面から延出し、その延出部分がカバー部材３０で覆われる。なお、電線８０は、芯線等の導体部分の周囲を樹脂製の被覆で包囲した被覆電線である。
【００１５】
図１及び図５に示すように、ハウジング本体２１の上部には、レバー収容部２２が設けられている。レバー収容部２２は、ハウジング本体２１の後面に開口する横長の内部空間を有し、内部空間に後方からレバー９０がスライドして挿入される。レバー収容部２２の上壁には、前後方向に延出してハウジング本体２１の前面に開口する導入溝２３が設けられている。
【００１６】
レバー９０は合成樹脂製であって、図５に示すように、一枚板状のカム板９１で構成されている。カム板９１は、内部空間に収容された状態で、初期位置と嵌合位置とに回動可能とされている。カム板９１にはカム溝９２が設けられている。カム溝９２に図示しない相手コネクタのカムフォロアが導入溝２３を介して進入し、レバー９０の回動に伴ってカム溝９２の溝面をカムフォロアが摺動することで、レバー９０と相手コネクタとの間にカム作用が発揮され、両コネクタの嵌合動作が進行するようになっている。また、図１に示すように、ハウジング本体２１の側面後部には、複数のロック受部２４が設けられている。
【００１７】
バンド部材６０は、いわゆる汎用のタイバンドであって、角箱状の係止部６１と、係止部６１から延出する可撓帯状のバンド本体６２とを有している。バンド本体６２の先端部には、係止部６１に挿入されて係止される図示しない鋸歯状の係止構造が設けられている。
【００１８】
カバー部材３０は合成樹脂製であって、図６〜図８に示すように、全体としてキャップ状をなし、ハウジング本体２１の後面と対向する基壁３１と、基壁３１の上下両縁から角部３３を介して前方に突出する被覆壁３２とを有している。カバー部材３０の一側面は被覆壁３２で被覆されない開口部３４とされている。また、カバー部材３０の被覆壁３２のうち、開口部３４と対向する部位には、前部に複数のロック部３５が設けられている。各ロック部３５が対応するロック受部２４を弾性的に係止することにより、カバー部材３０がハウジング本体２１に取り付けられる。カバー部材３０がハウジング本体２１に取り付けられたときに、ハウジング本体２１の後面から延出する複数本の電線８０は、カバー部材３０の内部で基壁３１に沿って屈曲させられ、開口部３４を通して一側外方へ引き出される。
【００１９】
図８に示すように、カバー部材３０には、後方へ突出して開口部３４を区画する取付部３６が設けられている。取付部３６は、基壁３１の本体部分から斜め後方に突出する本体基部３７を有し、本体基部３７の上下両端に角部３３を介して両被覆壁３２が連なることによって断面門型を呈している。取付部３６の後端には、左右両側に張り出す張出部３８が連設されている。張出部３８の後面は、上下方向及び左右方向に沿って平坦に配置されている。
【００２０】
図３に示すように、本体基部３７の外面は、上下方向に沿うとともに後方へ行くに従って一側方（開口部３４が位置する側の方向）へ傾斜する基面部３９とされている。取付部３６の被覆壁３２の外面は、左右方向及び前後方向に沿って平坦な側面部４１とされている。また、取付部３６の角部３３の外面は、丸みをもった略Ｌ字形をなし、基面部３９から側面部４１へ向けて湾曲状に連なる角アール部４２とされている。
【００２１】
取付部３６の外面（基面部３９、側面部４１及び角アール部４２）には、バンド部材６０のバンド本体６２が周方向に巻回して配置される。この場合に、本体基部３７の基面部３９には、バンド本体６２が上下方向にほぼ沿って配置され、取付部３６の側面部４１には、バンド本体６２が左右方向にほぼ沿って配置される。
【００２２】
図７に示すように、本体基部３７における上下の角部３３寄りの位置には、一対の節度感発生部４３が設けられている。節度感発生部４３は、本体基部３７を壁厚方向に貫通する挿通部４４と、挿通部４４の前後縁から内部へ片持ち状に突出する一対の干渉部４５とを有している。両干渉部４５は、本体基部３７の壁厚方向に延出するリブ状をなし（図３を参照）、挿通部４４の開口幅を狭めるように前後方向の同軸上に向き合って配置されている。両干渉部４５の前後方向の離間幅は、バンド本体６２の幅寸法（前後方向の幅寸法）より小さくされている。また、挿通部４４は、両干渉部４５を挟んだ上下両側にバンド本体６２を挿通可能な空間部４６、４７を有している。このうち、本体基部３７の上下端部側の空間部（以下、第１空間部４６）は、中央側の空間部（以下、第２空間部４７）よりも上下方向の開口幅が狭いスリット状の形態で構成されている。
【００２３】
角部３３の角アール部４２には、節度感発生部４３と隣接する位置にガイド部４８が貫通して設けられている。ガイド部４８は、無底溝状をなし、側面部４１側から第１空間部４６へ向けて次第に前後方向の溝幅を狭める形態になっている。ガイド部４８の溝幅は、側面部４１側ではバンド本体６２の幅寸法より大きく、節度感発生部４３の端部側ではバンド本体６２の幅寸法と同じか、又はバンド本体６２の幅寸法より若干大きくなるように設定されている。
【００２４】
次に、本実施例１の作用効果を説明する。
複数本の電線８０がカバー部材３０の開口部３４から引き出され、バンド部材６０の係止部６１がカバー部材３０の基面部３９の上下方向中間部に当接して支持され、その状態で、バンド本体６２が基壁３１と各電線８０のそれぞれの外面に周方向に沿って緩く巻き付けられ、バンド本体６２の先端部が係止部６１に挿入される（図１及び図３を参照）。
【００２５】
締め付け前の状態では、バンド本体６２は、節度感発生部４３を周方向に横切る部分（以下、被干渉部６６）が干渉部４５の外側に位置するように、基壁３１の外面にほぼ沿うようにして配置される。
【００２６】
次いで、バンド部材６０が締め付けられる。すると、バンド本体６２が縮径方向に変位し、ガイド部４８に進入してガイドされながら、被干渉部６６が干渉部４５を弾性的に乗り越えて干渉部４５の内側へ変位する（図２及び図４を参照）。
【００２７】
バンド部材６０が締め付け位置（正規の締め付け状態）へ至る際には、被干渉部６６の前後両縁に干渉部４５が摺動して摺動抵抗が発生するとともに、その後の弾性的な復元動作によって摺動抵抗が一気に解放される。このため、作業者は、節度感（干渉フィーリング）を得ることができ、節度感を得たことをもって、バンド部材６０が締め付け位置に至ったと判断することができる。
【００２８】
締め付け位置では、バンド本体６２が取付部３６の外面に周方向に当接して緊締され、バンド本体６２の先端部が係止部６１に係止されて、バンド本体６２の縮径状態が維持される。この場合に、バンド本体６２の被干渉部６６とその隣接部位は、ガイド部４８から第１空間部４６を経て干渉部４５の内側に臨み、さらに第２空間部４７を通して係止部６１へ向けて配置され、被干渉部６６が干渉部４５により内側へ押圧されることで、湾曲状に屈曲させられる（図４を参照）。また、張出部３８によってバンド部材６０が保護される。
【００２９】
ここで、節度感の発生させる機構としては、節度感発生部４３の干渉部４５が弾性的に変形する図９の第１態様と、バンド本体６２が弾性的に変形する図１０の第２態様のいずれかを取り得る。なお、図９及び図１０は、節度感発生の機構を示す模式図であり、実際の構造を正確に反映するものではない。
【００３０】
第１態様の場合、バンド本体６２の縮径過程では、両干渉部４５の先端部がバンド本体６２の被干渉部６６の前後両縁に当接し、両干渉部４５が挿通部４４の前後両縁を略支点として撓み変形させられる（図９（Ａ）、（Ｂ）を参照）。さらに、バンド部材６０が締め付け位置に至るに伴い、両干渉部４５が弾性的に復元して、両干渉部４５の先端部の内側に被干渉部６６が入り込む（図９（Ｃ）を参照）。第１態様は、両干渉部４５がバンド本体６２に比べて撓み変形し易い場合に取り得る。
【００３１】
一方、第２態様の場合、バンド本体６２の縮径過程では、バンド本体６２の被干渉部６６の前後両縁が両干渉部４５の先端部に当接し、被干渉部６６が両干渉部４５の先端部間において略Ｕ字形に撓み変形させられる（図１０（Ｂ）、（Ｃ）を参照）。さらに、バンド部材６０が締め付け位置に至るに伴い、被干渉部６６が弾性的に復元して、両干渉部４５の先端部の内側に被干渉部６６が入り込む（図１０（Ｄ）を参照）。第２態様は、両干渉部４５がバンド本体６２に比べて撓み変形し難い場合に取り得る。また、第２態様によれば、両干渉部４５を高強度にすることができるため、バンド部材６０が締め付け位置に至ったときに、両干渉部４５が被干渉部６６を押圧する図４の状態を良好に維持することができる。なお、図示はしないが、両干渉部４５とバンド本体６２がいずれも撓み変形する第３態様を取ることも可能である。
【００３２】
以上説明したように、本実施例１によれば、バンド部材６０が締め付け位置に至る際に被干渉部６６が節度感発生部４３の干渉部４５と干渉することにより、節度感を得ることができるため、節度感が感じない締め付け位置に至る手前の状態で、締め付け動作を終えてしまう事態を回避することができる。その結果、バンド部材６０が締め付け位置に確実に至ることができ、各電線８０をカバー部材３０に締結固定する際の信頼性を向上させることができる。
【００３３】
特に、節度感発生部４３の両干渉部４５とバンド部材６０のバンド本体６２の少なくとも一方が他方と干渉して弾性的に変形し且つ復元する弾性を有しているから、節度感を得るために格別複雑な構造にする必要がなく、構造を簡単にすることができる。
【００３４】
また、締め付け前の状態では節度感発生部４３の外側にバンド部材６０の被干渉部６６が配置され、締め付け位置では節度感発生部４３の内側に被干渉部６６が配置されるため、被干渉部６６が内側に配置されることをもってバンド部材６０が締め付け位置に至ったことを視覚的にも検知することができる。さらに、節度感発生部４３の両干渉部４５が締め付け位置にてバンド部材６０のバンド本体６２を屈曲状態に押圧するため（図４を参照）、バンド部材６０から各電線８０に対して所定の固定力を付与することができる。
【００３５】
さらにまた、カバー部材３０の外周のうち、バンド部材６０が配置される取付部３６の外面には、バンド部材６０を節度感発生部４３の干渉部４５と干渉する位置へと誘導するガイド部４８が設けらているため、バンド部材６０がガイド部４８に誘導されて干渉位置へと自動的に至ることができ、特別な作業を行う必要がない。しかも、バンド部材６０が節度感発生部４３と隣接する角部３３の角アール部４２に設けられているため、バンド部材６０のバンド本体６２が締め付け前の状態から締め付け位置へ向けて大きく縮径変形することができ、バンド部材６０を干渉部４５との干渉位置へと確実に至らすことができる。
【００３６】
＜実施例２＞
図１１及び図１２は、本発明の実施例２を示す。実施例２のワイヤハーネス固定装置は、カバー部材として、複数の電線８０からなるワイヤハーネスを収容して固定するプロテクタ３０Ａを用いている。
【００３７】
プロテクタ３０Ａは合成樹脂製であって、各電線８０の配索方向（前後方向）に沿って長く延出する断面略Ｕ字形状のプロテクタ本体５１を備えている。プロテクタ本体５１は、端部に取付部３６Ａを有している。取付部３６Ａは、隣接する本体部分から連続して前方（図示右方）へ突出する断面略Ｕ字形状をなし、本体部分の下縁に一段高く段付き状に連なる下縁を有して、前方及び下方に開放されている。
【００３８】
取付部３６Ａの左右両側には、実施例１と同様の構造をなす一対の節度感発生部４３が設けられている。節度感発生部４３は、取付部３６Ａを壁厚方向に貫通する挿通部４４と、挿通部４４の前後両縁から内部へ片持ち状の突出する一対の干渉部４５とを有している。挿通部４４は、取付部３６Ａの左右端部側に第１空間部４６を有し、取付部３６Ａの左右中央側に第２空間部４７を有している。第１空間部４６は、第２空間部４７よりも開口幅が狭いスリット状の形態で構成されている。
【００３９】
また、取付部３６Ａの左右両側には、上下方向に長く延出して上端が第１空間部４６に連通するとともに下端が取付部３６Ａの下縁に開口するガイド部４８Ａが設けられている。ガイド部４８Ａは、取付部３６Ａを壁厚方向に貫通する無底溝状をなし、下縁開口から第１空間部４６へ向けて次第に前後方向の開口幅を狭める形態になっている。
【００４０】
締め付けに際し、各電線８０がプロテクタ本体５１の内面に沿わせられ、その状態で、取付部３６Ａの外面と各電線８０の外面とにバンド部材６０のバンド本体６２が周回して配置される。バンド本体６２の先端部は、取付部３６Ａの外面上端部に当接して支持された係止部６１に緩く挿入される。
【００４１】
次いで、バンド本体６２が縮径方向に変位させられる。変位過程でバンド本体６２がガイド部４８Ａに沿ってガイドされることにより、バンド本体６２の被干渉部６６が節度感発生部４３の干渉部４５と干渉可能な位置へと自動的に至らしめられる。バンド部材６０は、締め付け位置へ至る際に、干渉部４５を弾性的に乗り越えてガイド部４８Ａ及び第１空間部４６を通過し、取付部３６Ａの内側に入り込むとともに、各電線８０の外面から第２空間部４７を通して取付部３６Ａの外面へと緊締される。バンド部材６０が干渉部４５と干渉することにより、干渉部４５又はバンド本体６２が弾性的に変形及び復元し、それに伴う節度感を作業者が感じることにより、バンド部材６０が締め付け位置に至ったことを検知することができる。
【００４２】
したがって、実施例２のプロテクタ３０Ａにおいても、節度感発生部４３によってバンド部材６０を締め付け位置に確実に至らすことができ、各電線８０をプロテクタ３０Ａに固定する際の信頼性を向上させることができる。
【００４３】
＜他の実施例＞
以下、他の実施例を簡単に説明する。
（１）節度感発生部は、干渉部又はバンド部材の弾性的な復元動作に伴って打音を発生する構造であってもよい。
（２）バンド部材は、タイバンドに限らず、粘着テープやひも部材であってもよい。
（３）ガイド部は、取付部の壁厚を貫通しない有底溝状の形態であってもよい。
【符号の説明】
【００４４】
１０…コネクタ
３０…カバー部材
３０Ａ…プロテクタ（カバー部材）
３１…基壁
３２…被覆壁
３３…角部
４３…節度感発生部
４５…干渉部
４８…ガイド部
６０…バンド部材
６２…バンド本体
６６…被干渉部
８０…電線（ワイヤハーネス）
【図１】
2018081868.tif 000003
【図２】
2018081868.tif 000004
【図３】
2018081868.tif 000005
【図４】
2018081868.tif 000006
【図５】
2018081868.tif 000007
【図６】
2018081868.tif 000008
【図７】
2018081868.tif 000009
【図８】
2018081868.tif 000010
【図９】
2018081868.tif 000011
【図１０】
2018081868.tif 000012
【図１１】
2018081868.tif 000013
【図１２】
2018081868.tif 000014